(57)【要約】【課題】保持部材によるグランドプレートの保持が強化されたコネクタを提供すること。【解決手段】  コネクタ１０のグランドプレート５００は、複数の突き出し部５１０と、連結部５２０と、圧入部５３０とを有する。連結部５２０は、突き出し部５１０の後端５１２を互いに連結する。圧入部５３０は、上下方向と交差する平板部５３２と、平板部５３２からピッチ方向に突出した圧入突起５３４とを有する。圧入部５３０は保持部材３００の基部３３０に設けられた被圧入部３５０に保持され、それによってグランドプレート５００は保持部材３００に取り付けられる。保持部材３００の基部３３０に設けられた規制部３４６は、ピッチ方向において突き出し部５１０の間に位置し、かつ前後方向において連結部５２０の前方に位置し、それによって、グランドプレート５００の移動を規制する。【選択図】図３
2017220369.tif 000002
【特許請求の範囲】
【請求項１】
相手側コネクタと前後方向に沿って嵌合可能なコネクタであって、
前記コネクタは、複数のコンタクトと、保持部材と、ミッドプレートと、グランドプレートとを備えており、
前記保持部材は、嵌合部と、保持部と、基部とを備えており、
前記嵌合部は、舌状の形状を有し、前記前後方向において前記保持部から前方に延びており、
前記保持部は、前記前後方向において前記嵌合部と前記基部の間に位置しており、
前記基部には、少なくとも一つの規制部と少なくとも一つの被圧入部が設けられており、
前記コンタクトは、前記保持部材の前記保持部に保持されて、二つのコンタクト列を形成しており、
前記コンタクト列の各々の前記コンタクトは、前記前後方向と直交するピッチ方向に並んでおり、
前記コンタクト列は、前記前後方向及び前記ピッチ方向の双方と直交する上下方向に離間配置されており、
前記ミッドプレートは、前記保持部材に保持され、前記上下方向おいて前記コンタクト列の間に位置しており、
前記グランドプレートは、複数の突き出し部と、連結部と、圧入部とを有しており、
前記連結部は、前記突き出し部の後端を互いに連結しており、
前記圧入部は、前記上下方向と交差する平板部と、前記平板部から前記ピッチ方向に突出した圧入突起とを有しており、
前記圧入部は前記被圧入部に保持され、それによって前記グランドプレートは前記保持部材に取り付けられており、
前記規制部は、前記ピッチ方向において前記突き出し部の間に位置し、かつ前記前後方向において前記連結部の前方に位置している
コネクタ。
【請求項２】
請求項１に記載のコネクタであって、
前記基部は、前記上下方向において外側に向かって突出すると共に前記ピッチ方向に延びる壁部を有しており、
前記壁部には、前記前後方向に貫通する貫通孔が複数設けられており、
前記貫通孔は、前記ピッチ方向において互いに離間配置されており、
前記貫通孔には、前記突き出し部が夫々部分的に収容されており、
前記規制部は、前記ピッチ方向において前記貫通孔の間に位置している
コネクタ。
【請求項３】
請求項２に記載のコネクタであって、
前記被圧入部は、前記壁部に形成されており、
前記圧入部は、前記連結部と前記平板部とを連結する結合部をさらに有しており、
前記結合部は、前記前後方向において前記壁部の後方に位置している
コネクタ。
【請求項４】
請求項３に記載のコネクタであって、
前記被圧入部は、前記上下方向において内側に凹んだ溝である
コネクタ。
【請求項５】
請求項３又は請求項４に記載のコネクタであって、
前記被圧入部の前記ピッチ方向における位置は、前記規制部の前記ピッチ方向における位置と同じである
コネクタ。
【請求項６】
請求項４叉は請求項５に記載のコネクタであって、
前記コネクタは、シェルを更に備えており、
前記圧入部の前記平板部は、前記上下方向における前記壁部の端面と面一であるか又は前記上下方向において前記壁部の前記端面よりも外側に張り出しており、
前記平板部は、前記シェルと溶接されている
コネクタ。
【請求項７】
請求項１から請求項６までのいずれか一つに記載のコネクタであって、
前記突き出し部の少なくとも一部の厚さ寸法は、前記連結部の厚さ寸法よりも小さい
コネクタ。
【請求項８】
請求項１から請求項７までのいずれか一つに記載のコネクタであって、
前記規制部の数は、二つであり、
前記突き出し部の数は、三つである
コネクタ。
【請求項９】
請求項８に記載のコネクタであって、
前記保持部には、補強突部と浅溝部が形成されており、
前記補強突部は、前記上下方向において前記浅溝部よりも外側に突出していると共に、前記前後方向において前記規制部の夫々から前方に延びており、
前記浅溝部は、前記ピッチ方向において前記補強突部の間及び外側の夫々に位置しており、
前記突き出し部は、前記浅溝部内に夫々部分的に位置している
コネクタ。
【請求項１０】
請求項９に記載のコネクタであって、
前記突き出し部の夫々の前端部には、前方に行くに連れて細くなるようにテーパが付けられており、
前記突き出し部のうち、前記ピッチ方向の外側に位置する二つの前記突き出し部の夫々の前縁の前記ピッチ方向の中心の位置は、当該突き出し部が位置している前記浅溝部の前記ピッチ方向の中心の位置よりも前記コネクタの前記ピッチ方向の中心へ寄った位置である
コネクタ。
【請求項１１】
請求項９又は請求項１０に記載のコネクタであって、
前記突き出し部のうち、前記ピッチ方向の外側に位置する二つの前記突き出し部の夫々は、前記コネクタの前記ピッチ方向の中心へ寄るように前方へ延びている
コネクタ。
【請求項１２】
請求項１から請求項１１までのいずれか一つに記載のコネクタであって、
前記グランドプレートは、止水部を有しており、
前記止水部には、前記前後方向と交差する複数の溝が形成されており、
前記コネクタは、前記止水部を覆っている後部インシュレータをさらに有している
コネクタ。
【発明の詳細な説明】
【技術分野】
【０００１】
本発明は、コネクタに関し、特に、ミッドプレートとグランドプレートとを有するコネクタに関する。
【背景技術】
【０００２】
図２３に示されるように、特許文献１に記載されたコネクタ９００は、二つのコンタクト列９１０、９２０と、保持部材９３０と、ミッドプレート９４０と、二つのグランドプレート９５０と、シェル９６０とを有している。
【０００３】
コンタクト列９１０，９２０は、上下方向（Ｚ方向）に離間配置され、保持部材９３０に保持される。コンタクト列９１０，９２０の各々は、ピッチ方向（Ｘ方向）に並ぶ複数のコンタクトを有している。保持部材９３０は、ミッドプレート９４０と一体成型されている。ミッドプレート９４０は、上下方向において、コンタクト列９１０，９２０の間に位置している。ミッドプレート９４０とコンタクト列９１０，９２０の各コンタクトとの間は、保持部材９３０によって電気的に絶縁されている。グランドプレート９５０は、上下方向において保持部材９３０を挟むように保持部材に９３０に取り付けられる。各グランドプレート９５０とコンタクト列９１０，９２０の各コンタクトとの間は、保持部材９３０によって電気的に絶縁されている。シェル９６０は、コンタクト列９１０，９２０、保持部材９３０、ミッドプレート９４０及びグランドプレート９５０の周囲を囲っている。
【先行技術文献】
【特許文献】
【０００４】
【特許文献１】特許５９０５９５２号公報
【発明の概要】
【発明が解決しようとする課題】
【０００５】
特許文献１に記載されたコネクタ９００において、グランドプレート９５０の保持部材９３０へのより強固な取り付けが望まれている。
【０００６】
本発明は、保持部材によるグランドプレートの保持が強化されたコネクタを提供することを目的とする。
【課題を解決するための手段】
【０００７】
本発明は、第１のコネクタとして、相手側コネクタと前後方向に沿って嵌合可能なコネクタであって、
前記コネクタは、複数のコンタクトと、保持部材と、ミッドプレートと、グランドプレートとを備えており、
前記保持部材は、嵌合部と、保持部と、基部とを備えており、
前記嵌合部は、舌状の形状を有し、前記前後方向において前記保持部から前方に延びており、
前記保持部は、前記前後方向において前記嵌合部と前記基部の間に位置しており、
前記基部には、少なくとも一つの規制部と少なくとも一つの被圧入部が設けられており、
前記コンタクトは、前記保持部材の前記保持部に保持されて、二つのコンタクト列を形成しており、
前記コンタクト列の各々の前記コンタクトは、前記前後方向と直交するピッチ方向に並んでおり、
前記コンタクト列は、前記前後方向及び前記ピッチ方向の双方と直交する上下方向に離間配置されており、
前記ミッドプレートは、前記保持部材に保持され、前記上下方向おいて前記コンタクト列の間に位置しており、
前記グランドプレートは、複数の突き出し部と、連結部と、圧入部とを有しており、
前記連結部は、前記突き出し部の後端を互いに連結しており、
前記圧入部は、前記上下方向と交差する平板部と、前記平板部から前記ピッチ方向に突出した圧入突起とを有しており、
前記圧入部は前記被圧入部に保持され、それによって前記グランドプレートは前記保持部材に取り付けられており、
前記規制部は、前記ピッチ方向において前記突き出し部の間に位置し、かつ前記前後方向において前記連結部の前方に位置している
コネクタを提供する。
【０００８】
本発明は、第２のコネクタとして、第１のコネクタであって、
前記基部は、前記上下方向において外側に向かって突出すると共に前記ピッチ方向に延びる壁部を有しており、
前記壁部には、前記前後方向に貫通する貫通孔が複数設けられており、
前記貫通孔は、前記ピッチ方向において互いに離間配置されており、
前記貫通孔には、前記突き出し部が夫々部分的に収容されており、
前記規制部は、前記ピッチ方向において前記貫通孔の間に位置している
コネクタを提供する。
【０００９】
本発明は、第３のコネクタとして、第２のコネクタであって、
前記被圧入部は、前記壁部に形成されており、
前記圧入部は、前記連結部と前記平板部とを連結する結合部をさらに有しており、
前記結合部は、前記前後方向において前記壁部の後方に位置している
コネクタを提供する。
【００１０】
本発明は、第４のコネクタとして、第３のコネクタであって、
前記被圧入部は、前記上下方向において内側に凹んだ溝である
コネクタを提供する。
【００１１】
本発明は、第５のコネクタとして、第３又は第４のコネクタであって、
前記被圧入部の前記ピッチ方向における位置は、前記規制部の前記ピッチ方向における位置と同じである
コネクタを提供する。
【００１２】
本発明は、第６のコネクタとして、第４又は第５のコネクタであって、
前記コネクタは、シェルを更に備えており、
前記圧入部の前記平板部は、前記上下方向における前記壁部の端面と面一であるか又は前記上下方向において前記壁部の前記端面よりも外側に張り出しており、
前記平板部は、前記シェルと溶接されている
コネクタを提供する。
【００１３】
本発明は、第７のコネクタとして、第１から第６までのいずれか一つのコネクタであって、
前記突き出し部の少なくとも一部の厚さ寸法は、前記連結部の厚さ寸法よりも小さい
コネクタを提供する。
【００１４】
本発明は、第８のコネクタとして、第１から第７までのいずれか一つのコネクタであって、
前記規制部の数は、二つであり、
前記突き出し部の数は、三つである
コネクタを提供する。
【００１５】
本発明は、第９のコネクタとして、第８のコネクタであって、
前記保持部には、補強突部と浅溝部が形成されており、
前記補強突部は、前記上下方向において前記浅溝部よりも外側に突出していると共に、前記前後方向において前記規制部の夫々から前方に延びており、
前記浅溝部は、前記ピッチ方向において前記補強突部の間及び外側の夫々に位置しており、
前記突き出し部は、前記浅溝部内に夫々部分的に位置している
コネクタを提供する。
【００１６】
本発明は、第１０のコネクタとして、第９のコネクタであって、
前記突き出し部の夫々の前端部には、前方に行くに連れて細くなるようにテーパが付けられており、
前記突き出し部のうち、前記ピッチ方向の外側に位置する二つの前記突き出し部の夫々の前縁の前記ピッチ方向の中心の位置は、当該突き出し部が位置している前記浅溝部の前記ピッチ方向の中心の位置よりも前記コネクタの前記ピッチ方向の中心へ寄った位置である
コネクタを提供する。
【００１７】
本発明は、第１１のコネクタとして、第９又は第１０のコネクタであって、
前記突き出し部のうち、前記ピッチ方向の外側に位置する二つの前記突き出し部の夫々は、前記コネクタの前記ピッチ方向の中心へ寄るように前方へ延びている
コネクタを提供する。
【００１８】
本発明は、第１２のコネクタとして、第１から第１１までのいずれか一つのコネクタであって、
前記グランドプレートは、止水部を有しており、
前記止水部には、前記前後方向と交差する複数の溝が形成されており、
前記コネクタは、前記止水部を覆っている後部インシュレータをさらに有している
コネクタを提供する。
【発明の効果】
【００１９】
特許文献１のコネクタ９００において、二つのグランドプレート９５０は、保持部材９３０を上下方向から挟むように保持部材９３０に取り付けられている。このため、グランドプレート９５０が保持部材９３０から浮き上がる可能性がある。
【００２０】
一方、本発明のグランドプレートの圧入部は、上下方向と交差する平板部と、平板部からピッチ方向に突出した圧入突起とを有している。グランドプレートは、保持部材に取り付けられる際、圧入部が被圧入部に対して前方に向かって圧入される。このとき、保持部材の規制部は、ピッチ方向においてグランドプレートの突き出し部の間に位置し、かつ前後方向においてグランドプレートの連結部の前方に位置する。したがって、グランドプレートはピッチ方向の力に対しても、前方向の力に対しても強い。こうして、グランドプレートは、保持部材によって強固に保持される。
【図面の簡単な説明】
【００２１】
【図１】本発明の一実施の形態によるコネクタを示す上面斜視図である。
【図２】図１のコネクタを示す下面斜視図である。
【図３】図１のコネクタに含まれるサブアセンブリを示す上面斜視図である。
【図４】図３のサブアセンブリを示す他の上面斜視図である。
【図５】図３のサブアセンブリを示す平面図である。
【図６】図３のサブアセンブリを示す正面図である。
【図７】図６のサブアセンブリをＡ−Ａ線に沿って示す断面図である。
【図８】図６のサブアセンブリをＢ−Ｂ線に沿って示す断面図である。
【図９】図３のサブアセンブリに含まれる第１コンタクト列を示す上面斜視図である。
【図１０】図３のサブアセンブリに含まれる第２コンタクト列を示す下面斜視図である。
【図１１】図３のサブアセンブリに含まれる保持部材とミッドプレートの組立体を示す上面斜視図である。
【図１２】図１１の保持部材とミッドプレートの組立体を示す他の上面斜視図である。
【図１３】図１１の保持部材とミッドプレートの組立体を示す正面図である。
【図１４】図１３の保持部材とミッドプレートの組立体をＣ−Ｃ線に沿って示す断面図である。
【図１５】図１１の保持部材とミッドプレートの組立体に含まれるミッドプレートを示す上面斜視図である。
【図１６】図３のサブアセンブリに含まれる一対のグランドプレートの一方を示す上面斜視図である。他方のグランドプレートは、図示されたグランドプレートと略同一に構成される。
【図１７】図１のコネクタに含まれる前シェルを示す上面斜視図である。
【図１８】図３のサブアセンブリと図１７の前シェルの組立体を示す上面斜視図である。
【図１９】図１８の組立体に後部インシュレータを一体成型して形成された組立体を示す上面斜視図である。
【図２０】図１のコネクタに含まれる後シェルを示す上面斜視図である。
【図２１】図１９の組立体と図２０の後シェルの組立体を示す上面斜視図である。
【図２２】図１のコネクタに含まれるガスケットを示す上面斜視図である。
【図２３】特許文献１に開示されるコンタクトの分解斜視図である
【発明を実施するための形態】
【００２２】
図１及び図２を参照すると、本発明の一実施の形態に係るコネクタ１０は、前後方向に沿って相手側コネクタ（図示せず）と嵌合可能なレセプタクルコネクタである。コネクタ１０は、図示しない電子機器の回路基板上に搭載され、その電子機器の筐体内に少なくとも部分的に収容されて使用される。なお、本実施の形態において、前後方向はＹ方向であり、−Ｙ方向が前方、＋Ｙ方向が後方である。
【００２３】
図１及び図２に示されるように、コネクタ１０は、サブアセンブリ２０と、前シェル（シェル）６００と、後シェル６５０と、後部インシュレータ７００と、ガスケット８００とを有している。サブアセンブリ２０は、図３から図８までに示されるように、第１及び第２コンタクト列１００，２００と、保持部材３００と、ミッドプレート４００と、一対のグランドプレート５００とを有している。
【００２４】
図９及び図１０に示されるように、第１及び第２コンタクト列１００，２００は、夫々、複数のコンタクト１１０，２１０とコンタクト用インシュレータ１３０，２３０とを有している。コンタクト１１０，２１０は金属（導体）からなり、コンタクト用インシュレータ１３０，２３０は絶縁性樹脂からなる。コンタクト１１０，２１０は、金属板を打ち抜き、及び曲げ加工して形成される。コンタクト１１０，２１０は、夫々、前後方向に延びた形状を有しており、前方から順に接点部１１２、圧入部１１４、止水部１１６、固定部１１８及び接続部１２０を有している。コンタクト１１０，２１０には、比較的前後方向に長い電源用端子と、比較的前後方向に短い信号用端子とが含まれる。第１コンタクト列１００において、コンタクト１１０は前後方向と直交するピッチ方向に間隔を空けて並べられ、コンタクト用インシュレータ１３０によって互いに固定されている。詳しくは、コンタクト用インシュレータ１３０は、インサート成型により複数のコンタクト１１０の固定部１１８を相互に固定している。同様に、第２コンタクト列２００において、コンタクト２１０は前後方向と直交するピッチ方向に間隔を空けて並べられ、コンタクト用インシュレータ２３０によって互いに固定されている。詳しくは、コンタクト用インシュレータ２３０は、インサート成型により複数のコンタクト２１０の固定部１１８を相互に固定している。なお、本実施の形態において、ピッチ方向は前後方向と直交するＸ方向である。
【００２５】
図１１及び図１２から理解されるように、ミッドプレート４００は、保持部材３００に保持されている。具体的には、ミッドプレート４００は、インサート成型により、保持部材３００内に部分的に埋め込まれている。保持部材３００は、絶縁性樹脂からなり、ミッドプレート４００は金属（導体）からなる。図７及び図８から理解されるように、ミッドプレート４００は、保持部材３００の上下方向中央に位置している。なお、本実施の形態において、上下方向は前後方向及びピッチ方向の双方と直交するＺ方向である。図１１、図１２及び図１４から理解されるように、電源用端子のコンタクト収容部３１６には、水などの侵入によるコンタクト１１０，２１０とミッドプレート４００との間のショートを防止のため、ミッドプレートに達する孔（窪み）は存在しない。
【００２６】
図１５に示されるように、ミッドプレート４００は、主プレート４１０と一対のロック部材４３０とを有している。主プレート４１０は、概ね矩形の主部４１２と、主部４１２からピッチ方向外側へ突き出し、さらに後方へ突き出す接続部４１４とを有している。ロック部材４３０は、前後方向に延びる腕部４３２と、腕部４３２の後端からピッチ方向外側へ突き出す固定部４３４とを有している。主プレート４１０は、金属板を打ち抜き加工して形成される。また、ロック部材４３０は、別の金属板を打ち抜き、曲げ加工して形成される。主プレート４１０は、低背化及び軽量化のため比較的厚さ寸法の小さい金属板を用いて形成され、ロック部材４３０は強度確保のため、比較的厚さ寸法の大きい金属板を用いて形成される。ロック部材４３０は、主プレート４１０のピッチ方向の側部に沿うように主プレート４１０に固定される。
【００２７】
図１１及び図１２を参照すると、保持部材３００は、嵌合部３１０と、保持部３２０と、基部３３０とを備えている。嵌合部３１０は、舌状の形状を有し、前後方向において保持部３２０から前方に延びている。保持部３２０は、前後方向において嵌合部３１０と基部３３０との間に位置する。図１３から理解されるように、前後方向に沿って見た場合、保持部３２０の外形は嵌合部３１０の外形よりも大きい。図１１から図１４までの図から理解されるように、基部３３０は、前後方向において、保持部３２０の後方に位置し、前後方向に直交する面内において外側へ突出するフランジ部（壁部）３４０を有している。但し、本発明はこれに限られない。基部３３０は、フランジ部３４０の代わりに、上下方向において外側に突出するとともにピッチ方向に延びる壁を少なくとも一つ有していればよい。
【００２８】
図１１から図１３までの図から理解されるように、保持部材３００は、コンタクト１１０，２１０を保持するために、保持部３２０及び基部３３０を前後方向に貫通する複数のコンタクト保持孔３２６を備えている。コンタクト保持孔３２６は、上下二段に配置されて、ピッチ方向に並んでいる。前後方向に沿って見たとき、保持部３２０におけるコンタクト保持孔３２６の内部寸法は、コンタクト１１０，２１０の接点部１１２の外形寸法より大きいが、圧入突起を含むコンタクト１１０，２１０の圧入部１１４の外形寸法よりもわずかに小さい。また、前後方向に沿って見たとき、基部３３０におけるコンタクト保持孔３２６の内部寸法は、保持部３２０におけるコンタクト保持孔３２６の内部寸法よりも大きい。
【００２９】
図１１から図１４までの図から理解されるように、嵌合部３１０の上面３１２及び下面３１４には、夫々、コンタクト１１０，２１０を部分的に収容するコンタクト収容部３１６が形成されている。コンタクト収容部３１６は、上下方向に凹んだ溝３５０であり、夫々コンタクト保持孔３２６と連続している。
【００３０】
図１１から図１３までの図から理解されるように、保持部３２０の上面３２１及び下面３２３には、夫々ピッチ方向に並ぶ三つの浅溝部３２４が形成されている。但し、本発明はこれに限られない。浅溝部３２４の数は、後述するグランドプレート５００の突き出し部５１０の数に依存する。互いに隣接する浅溝部３２４の間には、補強突部３２２が形成されている。換言すると、浅溝部３２４は、ピッチ方向において二つの補強突部３２２の間及び外側の夫々に位置している。各浅溝部３２４は、前後方向に延びており、かつ上下方向において内側に凹んでいる。補強突部３２２は、前後方向に延びており、上下方向において浅溝部よりも外側に突出している。浅溝部３２４の内壁が、補強突部３２２の側壁を形成している。
【００３１】
図１１から図１４までの図から理解されるように、保持部材３００の基部３３０には、フランジ部３４０を前後方向に貫通する六つの貫通孔３４２が設けられている。これらの貫通孔３４２は、保持部３２０に形成された浅溝部３２４にそれぞれ連続している。即ち、本実施の形態において、貫通孔３４２は、保持部材３００の上側に三個、下側に三個設けられている。但し、本発明はこれに限られない。貫通孔３４２の数もまた、後述するグランドプレート５００の突き出し部５１０の数に依存する。保持部材３００の上側及び下側の夫々に形成された貫通孔３４２は、ピッチ方向において互いに離間配置されている。詳しくは、図１１及び図１４に示されるように、ピッチ方向において互いに隣り合う貫通孔３４２は、分離壁（規制部）３４６によって分離されている。換言すると、基部３３０には、保持部材３００の上側及び下側の夫々に、二つの分離壁３４６が設けられおり、各分離壁３４６は、ピッチ方向において貫通孔３４２の間に位置している。分離壁３４６の数もまた、後述するグランドプレート５００の突き出し部５１０の数に依存する。分離壁３４６は、それぞれ保持部３２０の補強突部３２２から連続している。換言すると、補強突部３２２は、分離壁３４６の夫々から前方へ延びている。図１２及び図１４から理解されるように、保持部材３００の上側及び下側の夫々に形成された三つの貫通孔３４２は、その後方において互いに連結され、スロット３４４を形成している。
【００３２】
図１１から図１３までの図に示されるように、フランジ部３４０の上下方向における端面には、夫々、上下方向において内側に凹んだ二つの溝（被圧入部）３５０が設けられている。但し、本発明はこれに限られない。溝３５０は、各グランドプレート５００に対して少なくとも一つあればよい。図５及び図１４から理解されるように、ピッチ方向において、溝３５０の位置は分離壁３４６の位置と同じである。詳しくは、ピッチ方向において、少なくとも溝３５０の中心は、分離壁３４６の上方又は下方に位置している。ピッチ方向における溝３５０の寸法は、後述するグランドプレート５００の圧入突起５３４の先端間距離の寸法よりもわずかに小さい。
【００３３】
図１６に示されるように、グランドプレート５００の一方は、三つの突き出し部５１０と、連結部５２０と、二つの圧入部５３０と、三つの延長部５４０と、二つの脚部５５０とを有している。他方のグランドプレート５００は、一方のグランドプレート５００を上下反転させたものに略等しい。詳しくは、延長部５４０の長さが異なる点を除いて、二つのグランドプレート５００は同一の形状を有している。グランドプレート５００は、一枚の金属（導体）板を打ち抜き加工し、曲げ加工して形成される。但し、本発明はこれに限られない。グランドプレート５００の突き出し部５１０は複数あればよく、圧入部５３０及び延長部５４０は少なくとも一つあればよい。また、グランドプレート５００の数は、一つであってもよい。
【００３４】
図１６に示されるように、突き出し部５１０は、ピッチ方向に並ぶように連結部５２０によって互いに連結されている。詳しくは、連結部５２０は、ピッチ方向へ延び、突き出し部５１０の後端５１２を互いに連結している。突き出し部５１０の一部の厚さ寸法は、連結部５２０の厚さ寸法よりも小さい。即ち、突き出し部５１０は、連結部５２０よりも部分的に薄い。但し、突き出し部５１０の全体の厚さ寸法が、連結部５２０の厚さ寸法よりも小さくてもよい。延長部５４０は、夫々突き出し部５１０の後方に位置し、連結部５２０から後方へ延びている。図５から理解されるように、ピッチ方向において、延長部５４０の中心の位置と突き出し部５１０の中心の位置とは一致していない。しかしながら、延長部５４０のピッチ方向における中心の位置と突き出し部５１０のピッチ方向における中心の位置とは互いに一致してもよい。図１６に示されるように、延長部５４０には止水部５４２が設けられている。止水部５４２には、前後方向と交差する複数の溝が形成されている。本実施の形態において、止水部５４２の溝は、前後方向に直交する面内において、延長部５４０の周り全体を囲っている。脚部５５０は、連結部５２０からピッチ方向の外側へ延びている。圧入部５３０は、ピッチ方向において夫々隣接する二つの延長部５４０の間に位置している。圧入部５３０は、ピッチ方向において夫々隣接する二つの突き出し部５１０の間に位置しているとも言える。圧入部５３０は、平板部５３２と、圧入突起５３４と、結合部５３６とを有している。平板部５３２は、上下方向と交差する平板状の部分である。本実施の形態において、平板部５３２は、ピッチ方向に長い矩形である。圧入突起５３４は、平板部５３２からピッチ方向の外側へ突出している。結合部５３６は、平板部５３２と連結部５２０とを互いに連結している。詳しくは、結合部５３６は、連結部５２０の後縁から後方へわずかに延びた後、上方へ延び、更にわずかに前方へ延びて平板部５３２に続いている。平板部５３２は、結合部５３６から前方へ延びている。これにより、平板部５３２は、連結部５２０の上方に位置し、かつ連結部５２０と略平行になる。
【００３５】
図３から図８までの図から理解されるように、上述した第１及び第２コンタクト列１００，２００は、保持部材３００の後方から保持部材３００に取り付けられる。詳しくは、第１及び第２のコンタクト列１００，２００のコンタクト１１０，２１０は、夫々保持部材３００の後方から前方へ向かってコンタクト保持孔３２６に挿入（圧入）される。各コンタクト１１０，２１０の接点部１１２は、コンタクト保持孔３２６を通過してコンタクト保持孔３２６から前方へ突き出し、コンタクト収容部３１６に部分的に収容される。一方、圧入部１１４は、保持部３２０においてコンタクト保持孔３２６内に留まり（圧入され）、それによって、コンタクト１１０，２１０は保持部材３００に保持される。このとき、止水部１１６は、図３から図５、図７及び図８に示されるように、保持部材３００の基部３３０の後方、コンタクト保持孔３２６の外に位置している。図６から図８までの図から明らかなように、第１コンタクト列１００と第２コンタクト列２００とは、保持部材３００に保持された状態で、上下方向に離間配置される。ミッドプレート４００は、上下方向において、第１コンタクト列１００と第２コンタクト列２００との間に位置する。ミッドプレート４００と各コンタクト１１０，２１０との間は、保持部材３００によって電気的に絶縁される。また、図６に示されるように、各コンタクト列１００，２００のコンタクト１１０，２１０は、ピッチ方向に並ぶ。こうして、本実施の形態では、複数のコンタクト１１０，２１０が保持部材３００に保持されて二つのコンタクト列１００，２００を形成する。
【００３６】
上述した一対のグランドプレート５００もまた、図３から図８までの図から理解されるように、保持部材３００の後方から保持部材３００に取り付けられる。詳しくは、突き出し部５１０が夫々基部３３０の貫通孔３４２を通過して保持部３２０の浅溝部３２４に受容され、かつ圧入部５３０の平板部５３２及び圧入突起５３４が溝３５０に圧入されるように、グランドプレート５００は保持部材３００に取り付けられる。圧入部５３０の平板部５３２及び圧入突起５３４が溝３５０に圧入されることで、グランドプレート５００は、保持部材３００に保持される。グランドプレート５００が保持部材３００に保持された状態で、突き出し部５１０は、その大部分が、夫々貫通孔３４２の前方に位置し、浅溝部３２４内に部分的に位置する。詳しくは、上下方向に沿って見たとき、突き出し部５１０は、後縁部を除いて、浅溝部３２４内に位置しており、上下方向において、浅溝部３２４内から補強突部３２２を越えてわずかに外側へ突き出している。また、連結部５２０は、スロット３４４内に位置する。なお、各突き出し部５１０は、ピッチ方向において、二つの電源端子の間に位置するように配置されている。図５及び図１４から理解されるように、ピッチ方向において、突き出し部５１０の間には保持部材３００の基部３３０に設けられた分離壁３４６が位置している。これにより、グランドプレート５００のピッチ方向の移動は、分離壁３４６によって規制される。また、分離壁３４６は、前後方向において連結部５２０の前方に位置する。これにより、グランドプレート５００の前方への移動は、分離壁３４６によって規制される。グランドプレート５００のピッチ方向の移動をより規制するため、図１４に示されるように、分離壁３４６には後方へ突き出す凸部３４８が形成されている。図１６に示されるように、グランドプレート５００の連結部５２０には、分離壁３４６の凸部３４８に対応する凹部５２２が形成されている。
【００３７】
図４及び図５から理解されるように、グランドプレート５００が保持部材３００に保持された状態で、圧入部５３０の結合部５３６は、前後方向においてフランジ部（壁部）３４０の後方に位置している。図８に示されるように、グランドプレート５００の平板部５３２、結合部５３６及び連結部５２０は、ピッチ方向から見たとき、Ｕ字状に繋がっており、フランジ部（壁部）３４０の一部を部分的に囲んでいる。また、図３から図６までの図から理解されるように、平板部５３２は、溝３５０内に位置し、上下方向におけるフランジ部３４０の端面と面一であるか、または上下方向においてフランジ部３４０の端面よりも外側に張り出している。さらに、図３から図５までの図に示されるように、グランドプレート５００の脚部５５０はミッドプレート４００の主プレート４１０の接続部４１４の近傍に位置している。グランドプレート５００の脚部５５０と主プレート４１０の接続部４１４とが互いに接続されることで、グランドプレート５００とミッドプレート４００は電気的に接続される。
【００３８】
図５から理解されるように、ピッチ方向に並ぶ三つの突き出し部５１０のうち、ピッチ方向の外側に位置する二つの突き出し部５１０の夫々は、コネクタ１０（サブアセンブリ２０）のピッチ方向中心にわずかに寄るように前方へ延びている。また、これら二つの突き出し部５１０の前縁５１６のピッチ方向の中心の位置は、突き出し部５１０に夫々対応する浅溝部３２４のピッチ方向の中心の位置よりもコネクタ１０（サブアセンブリ２０）のピッチ方向の中心側へ寄った位置になっている。さらに、各突き出し部５１０には、前方に行くに連れて細くなるよう段階的に変化するテーパが付けられている。特に、各突き出し部５１０の前端部５１４には、後端５１２側（連結部５２０側）のテーパ角に比べて大きなテーパ角で、前方に行くに連れて細くなるようにテーパが付けられている。これは、電源用端子であるコンタクト１１０，２１０（比較的前後方向に長いコンタクト１１０，２１０）とグランドプレート５００との距離を少しでも大きくするためのである。
【００３９】
図１７を参照すると、前シェル６００は、金属（導体）板からなり、筒状部６１０と一対の脚部６２０とを有している。筒状部６１０は、前後方向に沿って見たとき略オーバル形状を有し、前後方向に貫通する内部空間を規定する。また、筒状部６１０の後端部には、溶接部６１２が形成されている。図１及び図２に示されるように、溶接部６１２は、筒状部６１０の上側及び下側に夫々形成されている。溶接部６１２は、その厚さが溶接する相手側となるグランドプレート５００の平板部５３２の厚さに近づくように、周囲よりも薄く加工されている。図１７に示されるように、脚部６２０は、ピッチ方向において筒状部６１０の両側に位置し、筒状部６１０の後端から後方へ延びている。脚部６２０には、止水部６２２が設けられている。図１８から理解されるように、前シェル６００はサブアセンブリ２０に取り付けられる。詳しくは、サブアセンブリ２０は、前シェル６００の後方から前シェル６００に圧入される。これにより、フランジ部３４０は筒状部６１０の後端側を略塞ぐ。また、グランドプレート５００の平板部５３２は、上下方向において溶接部６１２と重なる位置に位置する。サブアセンブリ２０を前シェル６００に圧入した後、溶接部６１２は平板部５３２に溶接される。前述のように、平板部５３２は、フランジ部３４０の端面と面一であるかまたは端面から張り出している。したがって、溶接部６１２と平板部５３２との溶接は容易かつ確実に行うことができる。こうして、サブアセンブリ２０のフランジ部３４０及びそれよりも前方の部分が前シェル６００に覆われる。そして、筒状部６１０とサブアセンブリ２０との間に、相手側コネクタ（図示せず）を収容するコネクタ収容部６３０が形成される。なお、平板部５３２の形状は、シェル６００との溶接目的のために平らにしてあるが、溶接に支障が無い範囲でわずかに湾曲していてもよい。また、シェル６００を取り付けない場合には、平板部５３２の形状は特に限定されない。
【００４０】
図１９に示されるように、後部インシュレータ７００は、サブアセンブリ２０と前シェル６００の組立体に対して取り付けられる。詳しくは、後部インシュレータ７００は、サブアセンブリ２０と前シェル６００の組立体に対し、絶縁樹脂を用いてインサート成型を行うことで形成される。後部インシュレータ７００は、保持部材３００の基部３３０とコンタクト用インシュレータ１３０，２３０との間の空間を埋める。また、後部インシュレータ７００は、前シェル６００の脚部６２０を、その一部を露出させるように覆う。これにより、コンタクト１１０，２１０の止水部１１６、グランドプレート５００の止水部５４２及び前シェル６００の止水部６２２の周囲は、後部インシュレータ７００によって囲まれる。このとき、各止水部１１６，５４２，６２２を構成する溝は、後部インシュレータ７００を構成する樹脂によって埋められる。これにより、コンタクト１１０，２１０、グランドプレート５００及び前シェル６００の脚部６２０を伝わって電子機器（図示せず）の内部へ進入しようとする水の経路は塞がれる。図１９に示されるように、後部インシュレータ７００には、また、後シェル６５０を取り付けるための被圧入部７１０と、ガスケット８００を取り付けるための溝７２０が形成されている。被圧入部７１０には、圧入突起７１２が形成されている。また、被圧入部７１０には、前シェル６００の脚部６２０の一部が露出している。
【００４１】
図２０を参照すると、後シェル６５０は、金属（導体）板からなり、ピッチ方向に沿って見た場合にＬ型の形状を有している。後シェル６５０は、ピッチ方向における両端部に夫々圧入部６５２を有している。図２１に示されるように、圧入部６５２が後部インシュレータ７００の被圧入部７１０に圧入され、それによって、後シェル６５０は後部インシュレータ７００に取り付けられる。被圧入部７１０に露出する前シェル６００の脚部６２０と後シェル６５０の圧入部６５２とを接続することで、後シェル６５０は前シェル６００と電気的に接続される。図２から理解されるように、後シェル６５０は、後部インシュレータ７００に取り付けられた状態で、コンタクト１１０，２１０の接続部１２０の上方及び後方を覆う。
【００４２】
図２２に示されるように、ガスケット８００は、後部インシュレータ７００の溝７２０の形状に対応する扁平リング形状を有している。ガスケット８００は、合成ゴム等の弾性材料からなり、図１及び図２に示されるように、後部インシュレータ７００の溝７２０に嵌め込まれる。ガスケット８００は、前後方向と直交する面内において、後部インシュレータ７００の周囲を囲み、コネクタ１０と、このコネクタ１０が取り付けられる電子機器（図示せず）の筐体との間の防水機能を果たす。
【００４３】
以上のように構成されたコネクタ１０において、グランドプレート５００は、上述したように複数の突き出し部５１０とそれらの後端５１２を連結する連結部５２０とを有している。また、保持部材３００は、ピッチ方向において、グランドプレート５００の突き出し部５１０の間に位置し、かつ前後方向において、連結部５２０の前方に位置する分離壁（規制部）３４６有している。分離壁３４６は、グランドプレート５００の前方への移動を規制するとともにピッチ方向の移動をも規制する。これにより、本実施の形態によるコネクタ１０において、保持部材３００によるグランドプレート５００の保持がコネクタ組立途中においても強化される。加えて、後部インシュレータ７００により結合部５３６の後端が押さえられ、グランドプレート５００は更に保持が強化される。
【００４４】
また、本実施の形態では、突き出し部５１０が保持部材３００の貫通孔３４２から前方へ突き出しており、その一部は、貫通孔３４２内に位置している。そのため、突き出し部５１０は、保持部材３００によって上下方向の移動も規制される。これにより、本実施の形態によるコネクタ１０において、保持部材３００によるグランドプレート５００の保持は、さらに強化される。
【００４５】
加えて、本実施の形態では、グランドプレート５００の平板部５３２と結合部５３６と連結部５２０とがフランジ部（壁部）３４０の一部を部分的に囲んでいる。そのため、グランドプレート５００の回転等の移動も規制される。これにより、本実施の形態によるコネクタ１０において、保持部材３００によるグランドプレート５００の保持は、より一層強化される。
【００４６】
以上、本発明について実施の形態を掲げて具体的に説明してきたが、本発明はこれに限定されるものではなく、種々の変形、変更が可能である。例えば、本実施の形態では、グランドプレート５００が連結部５２０から後方へ延びる延長部５４０を備えているが、グランドプレート５００は延長部５４０を有していなくてもよい。また、本実施の形態では、グランドプレート５００の圧入部５３０がピッチ方向において突き出し部５１０の間に位置しているが、圧入部５３０は、ピッチ方向の両端部又は一方の端部に設けられていてもよい。また、本実施の形態では、グランドプレート５００の突き出し部５１０の前縁が圧入部５３０の平板部５３２の前縁よりも前方に位置しているが、平板部５３２の前縁が突き出し部５１０の前縁よりも前方に位置していてもよい。さらに、本実施の形態では、グランドプレート５００の平板部５３２がピッチ方向に長い形状を有しているが、前後方向に長い形状を有していてもよい。また、本実施の形態では、保持部材３００のフランジ部３４０に貫通孔３４２が設けられているが、フランジ部３４０に代えて壁部を用い、ピッチ方向の両側に位置する貫通孔３４２に代えて、ピッチ方向外側に開いた溝が壁部に設けられてもよい。さらにまた、本実施の形態では、保持部材３００のフランジ部３４０に被圧入部として溝３５０が設けられているが、溝３５０に代えてフランジ部（壁部）３４０を前後方向に貫通する貫通孔が設けられてもよい。また、防水機能が不要な場合は、止水部１１６，５４２，６２２や後部インシュレータ７００やガスケット８００は無くてもよい。
【符号の説明】
【００４７】
１０    コネクタ
２０    サブアセンブリ
１００，２００    コンタクト列
１１０，２１０    コンタクト
１１２    接点部
１１４    圧入部
１１６    止水部
１１８    固定部
１２０    接続部
１３０，２３０  コンタクト用インシュレータ
３００    保持部材
３１０    嵌合部
３１２    上面
３１４    下面
３１６    コンタクト収容部
３２０    保持部
３２１    上面
３２２    補強突部
３２３    下面
３２４    浅溝部
３２６    コンタクト保持孔
３３０    基部
３４０    フランジ部（壁部）
３４２    貫通孔
３４４    スロット
３４６    分離壁（規制部）
３４８    凸部
３５０    溝（被圧入部）
４００    ミッドプレート
４１０    主プレート
４１２    主部
４１４    接続部
４３０    ロック部材
４３２    腕部
４３４    固定部
５００    グランドプレート
５１０    突き出し部
５１２    後端
５１４    前端部
５１６    前縁
５２０    連結部
５２２    凹部
５３０    圧入部
５３２    平板部
５３４    圧入突起
５３６    結合部
５４０    延長部
５４２    止水部
５５０    脚部
６００    前シェル
６１０    筒状部
６１２    溶接部
６２０    脚部
６２２    止水部
６３０    コネクタ収容部
６５０    後シェル
６５２    圧入部
７００    後部インシュレータ
７１０    被圧入部
７１２    圧入突起
７２０    溝
８００    ガスケット
【図１】
2017220369.tif 000003
【図２】
2017220369.tif 000004
【図３】
2017220369.tif 000005
【図４】
2017220369.tif 000006
【図５】
2017220369.tif 000007
【図６】
2017220369.tif 000008
【図７】
2017220369.tif 000009
【図８】
2017220369.tif 000010
【図９】
2017220369.tif 000011
【図１０】
2017220369.tif 000012
【図１１】
2017220369.tif 000013
【図１２】
2017220369.tif 000014
【図１３】
2017220369.tif 000015
【図１４】
2017220369.tif 000016
【図１５】
2017220369.tif 000017
【図１６】
2017220369.tif 000018
【図１７】
2017220369.tif 000019
【図１８】
2017220369.tif 000020
【図１９】
2017220369.tif 000021
【図２０】
2017220369.tif 000022
【図２１】
2017220369.tif 000023
【図２２】
2017220369.tif 000024
【図２３】
2017220369.tif 000025
【手続補正書】
【提出日】平成29年4月18日(2017.4.18)
【手続補正１】
【補正対象書類名】明細書
【補正対象項目名】０００３
【補正方法】変更
【補正の内容】
【０００３】
コンタクト列９１０，９２０は、上下方向（Ｚ方向）に離間配置され、保持部材９３０に保持される。コンタクト列９１０，９２０の各々は、ピッチ方向（Ｘ方向）に並ぶ複数のコンタクトを有している。保持部材９３０は、ミッドプレート９４０と一体成型されている。ミッドプレート９４０は、上下方向において、コンタクト列９１０，９２０の間に位置している。ミッドプレート９４０とコンタクト列９１０，９２０の各コンタクトとの間は、保持部材９３０によって電気的に絶縁されている。グランドプレート９５０は、上下方向において保持部材９３０を挟むように保持部材９３０に取り付けられる。各グランドプレート９５０とコンタクト列９１０，９２０の各コンタクトとの間は、保持部材９３０によって電気的に絶縁されている。シェル９６０は、コンタクト列９１０，９２０、保持部材９３０、ミッドプレート９４０及びグランドプレート９５０の周囲を囲っている。
【手続補正２】
【補正対象書類名】明細書
【補正対象項目名】００２１
【補正方法】変更
【補正の内容】
【００２１】
【図１】本発明の一実施の形態によるコネクタを示す上面斜視図である。
【図２】図１のコネクタを示す下面斜視図である。
【図３】図１のコネクタに含まれるサブアセンブリを示す上面斜視図である。
【図４】図３のサブアセンブリを示す他の上面斜視図である。
【図５】図３のサブアセンブリを示す平面図である。
【図６】図３のサブアセンブリを示す正面図である。
【図７】図６のサブアセンブリをＡ−Ａ線に沿って示す断面図である。
【図８】図６のサブアセンブリをＢ−Ｂ線に沿って示す断面図である。
【図９】図３のサブアセンブリに含まれる第１コンタクト列を示す上面斜視図である。
【図１０】図３のサブアセンブリに含まれる第２コンタクト列を示す下面斜視図である。
【図１１】図３のサブアセンブリに含まれる保持部材とミッドプレートの組立体を示す上面斜視図である。
【図１２】図１１の保持部材とミッドプレートの組立体を示す他の上面斜視図である。
【図１３】図１１の保持部材とミッドプレートの組立体を示す正面図である。
【図１４】図１３の保持部材とミッドプレートの組立体をＣ−Ｃ線に沿って示す断面図である。
【図１５】図１１の保持部材とミッドプレートの組立体に含まれるミッドプレートを示す上面斜視図である。
【図１６】図３のサブアセンブリに含まれる一対のグランドプレートの一方を示す上面斜視図である。他方のグランドプレートは、図示されたグランドプレートと略同一に構成される。
【図１７】図１のコネクタに含まれる前シェルを示す上面斜視図である。
【図１８】図３のサブアセンブリと図１７の前シェルの組立体を示す上面斜視図である。
【図１９】図１８の組立体に後部インシュレータを一体成型して形成された組立体を示す上面斜視図である。
【図２０】図１のコネクタに含まれる後シェルを示す上面斜視図である。
【図２１】図１９の組立体と図２０の後シェルの組立体を示す上面斜視図である。
【図２２】図１のコネクタに含まれるガスケットを示す上面斜視図である。
【図２３】特許文献１に開示されるコネクタの分解斜視図である。
【手続補正３】
【補正対象書類名】明細書
【補正対象項目名】００２５
【補正方法】変更
【補正の内容】
【００２５】
図１１及び図１２から理解されるように、ミッドプレート４００は、保持部材３００に保持されている。具体的には、ミッドプレート４００は、インサート成型により、保持部材３００内に部分的に埋め込まれている。保持部材３００は、絶縁性樹脂からなり、ミッドプレート４００は金属（導体）からなる。図７及び図８から理解されるように、ミッドプレート４００は、保持部材３００の上下方向中央に位置している。なお、本実施の形態において、上下方向は前後方向及びピッチ方向の双方と直交するＺ方向である。図１１、図１２及び図１４から理解されるように、電源用端子のコンタクト収容部３１６には、水などの侵入によるコンタクト１１０，２１０とミッドプレート４００との間のショートを防止するため、ミッドプレート４００に達する孔（窪み）は存在しない。
【手続補正４】
【補正対象書類名】明細書
【補正対象項目名】００３０
【補正方法】変更
【補正の内容】
【００３０】
図１１から図１３までの図から理解されるように、保持部３２０の上面３２１及び下面３２３には、夫々ピッチ方向に並ぶ三つの浅溝部３２４が形成されている。但し、本発明はこれに限られない。浅溝部３２４の数は、後述するグランドプレート５００の突き出し部５１０の数に依存する。互いに隣接する浅溝部３２４の間には、補強突部３２２が形成されている。換言すると、浅溝部３２４は、ピッチ方向において二つの補強突部３２２の間及び外側の夫々に位置している。各浅溝部３２４は、前後方向に延びており、かつ上下方向において内側に凹んでいる。補強突部３２２は、前後方向に延びており、上下方向において浅溝部３２４よりも外側に突出している。浅溝部３２４の内壁が、補強突部３２２の側壁を形成している。
【手続補正５】
【補正対象書類名】明細書
【補正対象項目名】００３９
【補正方法】変更
【補正の内容】
【００３９】
図１７を参照すると、前シェル６００は、金属（導体）板からなり、筒状部６１０と一対の脚部６２０とを有している。筒状部６１０は、前後方向に沿って見たとき略オーバル形状を有し、前後方向に貫通する内部空間を規定する。また、筒状部６１０の後端部には、溶接部６１２が形成されている。図１及び図２に示されるように、溶接部６１２は、筒状部６１０の上側及び下側に夫々形成されている。溶接部６１２は、その厚さが溶接する相手側となるグランドプレート５００の平板部５３２の厚さに近づくように、周囲よりも薄く加工されている。図１７に示されるように、脚部６２０は、ピッチ方向において筒状部６１０の両側に位置し、筒状部６１０の後端から後方へ延びている。脚部６２０には、止水部６２２が設けられている。図１８から理解されるように、前シェル６００はサブアセンブリ２０に取り付けられる。詳しくは、サブアセンブリ２０は、前シェル６００の後方から前シェル６００に圧入される。これにより、フランジ部３４０は筒状部６１０の後端側を略塞ぐ。また、グランドプレート５００の平板部５３２は、上下方向において溶接部６１２と重なる位置に位置する。サブアセンブリ２０を前シェル６００に圧入した後、溶接部６１２は平板部５３２に溶接される。前述のように、平板部５３２は、フランジ部３４０の端面と面一であるかまたは端面から張り出している。したがって、溶接部６１２と平板部５３２との溶接は容易かつ確実に行うことができる。こうして、サブアセンブリ２０のフランジ部３４０及びそれよりも前方の部分が前シェル６００に覆われる。そして、筒状部６１０とサブアセンブリ２０との間に、相手側コネクタ（図示せず）を収容するコネクタ収容部６３０が形成される。なお、平板部５３２の形状は、前シェル６００との溶接目的のために平らにしてあるが、溶接に支障が無い範囲でわずかに湾曲していてもよい。また、前シェル６００を取り付けない場合には、平板部５３２の形状は特に限定されない。
【手続補正６】
【補正対象書類名】明細書
【補正対象項目名】００４６
【補正方法】変更
【補正の内容】
【００４６】
以上、本発明について実施の形態を掲げて具体的に説明してきたが、本発明はこれに限定されるものではなく、種々の変形、変更が可能である。例えば、本実施の形態では、グランドプレート５００が連結部５２０から後方へ延びる延長部５４０を備えているが、グランドプレート５００は延長部５４０を有していなくてもよい。また、本実施の形態では、グランドプレート５００の圧入部５３０がピッチ方向において突き出し部５１０の間に位置しているが、圧入部５３０は、ピッチ方向の両端部又は一方の端部に設けられていてもよい。また、本実施の形態では、グランドプレート５００の突き出し部５１０の前縁５１６が圧入部５３０の平板部５３２の前縁よりも前方に位置しているが、平板部５３２の前縁が突き出し部５１０の前縁５１６よりも前方に位置していてもよい。さらに、本実施の形態では、グランドプレート５００の平板部５３２がピッチ方向に長い形状を有しているが、前後方向に長い形状を有していてもよい。また、本実施の形態では、保持部材３００のフランジ部３４０に貫通孔３４２が設けられているが、フランジ部３４０に代えて壁部を用い、ピッチ方向の両側に位置する貫通孔３４２に代えて、ピッチ方向外側に開いた溝が壁部に設けられてもよい。さらにまた、本実施の形態では、保持部材３００のフランジ部３４０に被圧入部として溝３５０が設けられているが、溝３５０に代えてフランジ部（壁部）３４０を前後方向に貫通する貫通孔が設けられてもよい。また、防水機能が不要な場合は、止水部１１６，５４２，６２２や後部インシュレータ７００やガスケット８００は無くてもよい。
【手続補正７】
【補正対象書類名】特許請求の範囲
【補正対象項目名】請求項６
【補正方法】変更
【補正の内容】
【請求項６】
請求項４又は請求項５に記載のコネクタであって、
前記コネクタは、シェルを更に備えており、
前記圧入部の前記平板部は、前記上下方向における前記壁部の端面と面一であるか又は前記上下方向において前記壁部の前記端面よりも外側に張り出しており、
前記平板部は、前記シェルと溶接されている
コネクタ。
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
相手側コネクタと前後方向に沿って嵌合可能なコネクタであって、
前記コネクタは、複数のコンタクトと、保持部材と、ミッドプレートと、グランドプレートとを備えており、
前記保持部材は、嵌合部と、保持部と、基部とを備えており、
前記嵌合部は、舌状の形状を有し、前記前後方向において前記保持部から前方に延びており、
前記保持部は、前記前後方向において前記嵌合部と前記基部の間に位置しており、
前記基部には、少なくとも一つの規制部と少なくとも一つの被圧入部が設けられており、
前記コンタクトは、前記保持部材の前記保持部に保持されて、二つのコンタクト列を形成しており、
前記コンタクト列の各々の前記コンタクトは、前記前後方向と直交するピッチ方向に並んでおり、
前記コンタクト列は、前記前後方向及び前記ピッチ方向の双方と直交する上下方向に離間配置されており、
前記ミッドプレートは、前記保持部材に保持され、前記上下方向おいて前記コンタクト列の間に位置しており、
前記グランドプレートは、複数の突き出し部と、連結部と、圧入部とを有しており、
前記連結部は、前記突き出し部の後端を互いに連結しており、
前記圧入部は、前記上下方向と交差する平板部と、前記平板部から前記ピッチ方向に突出した圧入突起とを有しており、
前記圧入部は前記被圧入部に保持され、それによって前記グランドプレートは前記保持部材に取り付けられており、
前記規制部は、前記ピッチ方向において前記突き出し部の間に位置し、かつ前記前後方向において前記連結部の前方に位置しており、
前記基部は、前記上下方向において外側に向かって突出すると共に前記ピッチ方向に延びる壁部を有しており、
前記壁部には、前記前後方向に貫通する貫通孔が複数設けられており、
前記貫通孔は、前記ピッチ方向において互いに離間配置されており、
前記貫通孔には、前記突き出し部が夫々部分的に収容されており、
前記規制部は、前記ピッチ方向において前記貫通孔の間に位置している
コネクタ。
【請求項２】
請求項１に記載のコネクタであって、
前記被圧入部は、前記壁部に形成されており、
前記圧入部は、前記連結部と前記平板部とを連結する結合部をさらに有しており、
前記結合部は、前記前後方向において前記壁部の後方に位置している
コネクタ。
【請求項３】
請求項２に記載のコネクタであって、
前記被圧入部は、前記上下方向において内側に凹んだ溝である
コネクタ。
【請求項４】
請求項２又は請求項３に記載のコネクタであって、
前記被圧入部の前記ピッチ方向における位置は、前記規制部の前記ピッチ方向における位置と同じである
コネクタ。
【請求項５】
請求項３又は請求項４に記載のコネクタであって、
前記コネクタは、シェルを更に備えており、
前記圧入部の前記平板部は、前記上下方向における前記壁部の端面と面一であるか又は前記上下方向において前記壁部の前記端面よりも外側に張り出しており、
前記平板部は、前記シェルと溶接されている
コネクタ。
【請求項６】
請求項１から請求項５までのいずれか一つに記載のコネクタであって、
前記突き出し部の少なくとも一部の厚さ寸法は、前記連結部の厚さ寸法よりも小さい
コネクタ。
【請求項７】
請求項１から請求項６までのいずれか一つに記載のコネクタであって、
前記規制部の数は、二つであり、
前記突き出し部の数は、三つである
コネクタ。
【請求項８】
請求項７に記載のコネクタであって、
前記保持部には、補強突部と浅溝部が形成されており、
前記補強突部は、前記上下方向において前記浅溝部よりも外側に突出していると共に、前記前後方向において前記規制部の夫々から前方に延びており、
前記浅溝部は、前記ピッチ方向において前記補強突部の間及び外側の夫々に位置しており、
前記突き出し部は、前記浅溝部内に夫々部分的に位置している
コネクタ。
【請求項９】
請求項８に記載のコネクタであって、
前記突き出し部の夫々の前端部には、前方に行くに連れて細くなるようにテーパが付けられており、
前記突き出し部のうち、前記ピッチ方向の外側に位置する二つの前記突き出し部の夫々の前縁の前記ピッチ方向の中心の位置は、当該突き出し部が位置している前記浅溝部の前記ピッチ方向の中心の位置よりも前記コネクタの前記ピッチ方向の中心へ寄った位置である
コネクタ。
【請求項１０】
請求項８又は請求項９に記載のコネクタであって、
前記突き出し部のうち、前記ピッチ方向の外側に位置する二つの前記突き出し部の夫々は、前記コネクタの前記ピッチ方向の中心へ寄るように前方へ延びている
コネクタ。
【請求項１１】
請求項１から請求項１０までのいずれか一つに記載のコネクタであって、
前記グランドプレートは、止水部を有しており、
前記止水部には、前記前後方向と交差する複数の溝が形成されており、
前記コネクタは、前記止水部を覆っている後部インシュレータをさらに有している
コネクタ。